(57)【要約】【課題】構造・施工が簡易で、居室よりも高さの低い屋内収納空間の内外スペースの有効活用を実現できる屋内収納空間用シャッタを提供すること。【解決手段】屋内収納空間３の開口部３１に、開口部３１の縦枠部３１１近傍と天井３２とを繋ぎ縦枠部３１１近傍と天井３２に沿って延出したガイドレール１１と、複数のスラット１２Ａを縦方向に回動自在に係合したシャッタ本体１２とを備えたシャッタ１を設ける。シャッタ本体１２は、ガイドレール１１に案内されて上下に移動可能であり、これにより開口部３１を開閉する。従って、シャッタ１は、上記構成から構成されるので構造が簡易であり、シャッタ１を取り付ける際に開口部３１の両側の側壁３３を、戸を収納するために造作する必要がないので、施工が簡易である。また、シャッタ本体１２は天井３２方向に収納されるので開口部３１周辺のスペースが有効に利用できる。【選択図】      図４
2004176411.tif 000002
【特許請求の範囲】
【請求項１】
居室より高さの低い屋内収納空間に設けられるシャッタであって、
前記屋内収納空間の開口部左右の縦枠部近傍と天井とを繋ぎ、前記縦枠部近傍に沿って略上下に延びるとともに、前記天井に沿って略水平に延びるガイドレールと、
前記ガイドレールに係合されるシャッタ本体とを備え、
前記シャッタ本体は、前記開口部を覆って閉じる閉位置と、前記開口部を開く開位置との間を、前記ガイドレールに案内されて上下に移動自在に設けられていることを特徴とする屋内収納空間用シャッタ。
【請求項２】
請求項１に記載の屋内収納空間用シャッタにおいて、
前記ガイドレールは、少なくとも縦レールおよび天井レールにより構成されることを特徴とする屋内収納空間用シャッタ。
【請求項３】
請求項２に記載の屋内収納空間用シャッタにおいて、
前記天井レールは、取付具により前記天井下面に直接取り付けられていることを特徴とする屋内収納空間用シャッタ。
【請求項４】
請求項２または請求項３のいずれかに記載の屋内収納空間用シャッタにおいて、
前記シャッタ本体は、前記開口部よりも幅広であり、
前記縦レールは、前記開口部の前記縦枠部近傍の壁にそれぞれ取り付けられていることを特徴とする屋内収納空間用シャッタ。
【請求項５】
請求項１〜請求項４のいずれかに記載の屋内収納空間用シャッタにおいて、
前記ガイドレールは、互いに対向配置された板状部の一方に、他方に比べて延出した延出部が一体に形成された断面略コ字状とされ、かつ、前記延出部は取付部とされるとともに、前記板状部から前記取付部を切り離す切欠が形成されていることを特徴とする屋内収納空間用シャッタ。
【請求項６】
請求項１〜請求項５のいずれかに記載の屋内収納空間用シャッタにおいて、
前記シャッタ本体は、略水平方向に延びる複数のスラットを互いに回動自在とするとともに、縦方向に連結して構成され、
前記スラットは、木質粉末を含んだ合成樹脂材料から形成されていることを特徴とする屋内収納空間用シャッタ。
【請求項７】
請求項１〜請求項６のいずれかに記載の屋内収納空間用シャッタにおいて、
前記シャッタ本体が閉じる際の下降速度を減じる減速手段を備えていることを特徴とする屋内収納空間用シャッタ。
【請求項８】
請求項１〜請求項７のいずれかに記載の屋内収納空間用シャッタにおいて、
前記シャッタの開動作を補助する補助手段を備えていることを特徴とする屋内収納空間用シャッタ。
【発明の詳細な説明】
【０００１】
【発明の属する技術分野】
本発明は、屋内収納空間の開口部に設けられるシャッタに関する。
【０００２】
【背景技術】
建物の屋内に設置される収納部や収納室などの屋内収納空間の開口部には、屋内収納空間の仕切りや、屋内収納空間への塵埃等の侵入を防ぐために戸などの開閉機構を備えるのが一般的である。そして、そのような開閉機構として従来より、引戸（例えば、特許文献１参照）、開き戸（例えば、特許文献２参照）、折りたたみ戸（例えば、非特許文献１参照）が知られている。
【０００３】
特許文献１の引戸は、左右のいずれかに板状の本体をスライドさせて開閉させる戸のことであり、片引戸、両引戸、引き違い戸などの形式が知られている。
片引戸は、屋内収納空間の開口部に設けられたレール上の一枚の板状の本体を、左右のいずれかにスライドさせることで、その開口部の開閉を行うものである。開口部を開いた状態では、本体は開く方向の壁内、あるいは、壁の側面に沿って保持される。
両引戸は、一本のレール上に設けられた二枚の板状の本体を、左右にスライドさせることで、開口部の開閉を行うものである。開口部を開いた状態では、二枚の本体は、それぞれが開く方向の壁内、あるいは、壁の側面に沿って保持される。
引き違い戸（例えば、非特許文献２参照）は、二枚以上の板状の本体を、二本またはそれ以上のレール上に設け、それらの本体をレールに沿って左右にスライドさせて、開口部の開閉を行うものである。開口部を開いた状態では、本体は開く方向の壁内に、あるいは、壁の側面もしくは他の本体に沿って保持される。
【０００４】
特許文献２の開き戸は、一枚またはそれ以上の板状の本体を、屋内収納空間の縦枠部に設けられたヒンジなどを軸として回転するような形式で開閉する戸のことであり、本体は、屋内収納空間の内側または外側に向かって開く。
【０００５】
非特許文献１の折りたたみ戸は、一本のレール上に設けられた複数の板状の本体をヒンジ等で連結し、本体をレールに沿って折りたたみながら屋内収納空間の開口部を開いたり、広げながら閉じることで、屋内収納空間の開口部を開閉する。開口部を開いた状態では、本体は折りたたまれて、開口部の縦枠部に沿って保持される。
【０００６】
【特許文献１】
特開平７−５４４０２号公報（図２）
【特許文献２】
特開平１１−１７８６５５号公報（図２、図４）
【非特許文献１】
建築用語辞典編集委員会編「建築用語辞典（第二版）」技報堂出版。１９９５年４月１０日発行  第１１４頁
【非特許文献２】
建築用語辞典編集委員会編「建築用語辞典（第二版）」技報堂出版。１９９５年４月１０日発行  第８０４頁
【０００７】
【発明が解決しようとする課題】
このような特許文献１の引戸では、屋内収納空間の開口部を開くために、板状の本体を左右にスライドさせるので、スライド方向の壁に対して、本体を収容するための造作が必要になるという課題がある。また、これにより施工の手間が増大し、これに伴い施工の費用が増大すると言った二次的な課題が生じる。
また、スライド方向の壁に沿って本体を保持する場合は、壁の側面に本体を移動するためのスペースが必要となるため、この面に棚等を設けることができないなど、デッドスペースが生じることとなり、収納効率が悪化するという課題がある。
【０００８】
非特許文献２の引き違い戸では、屋内収納空間の開口部を開くために、本体を左右にスライドさせて、本体を召合わせる必要があり、このため、開口部の開口幅以下の開口寸法しか得られず、物品の出し入れがしづらいという課題がある。
【０００９】
特許文献２の開き戸および非特許文献１の折りたたみ戸では、本体を開くためのスペースが屋内収納空間の内側あるいは外側に必要となるため、屋内収納空間近傍にデッドスペースが生じることとなり、収納スペースが悪化するという課題がある。
【００１０】
このような事情から、屋外の小型物置などの開口部に用いられるようなシャッタを、屋内収納空間の開口部に採用しようと考えることもできる。しかしながら、そのようなシャッタを採用しようとすると、外観、強度、使い勝手などの関係、および、構造が複雑で施工が煩雑になるなどの理由から、屋内収納空間の開口部にそのまま使うことは無理がある。特に居室よりも高さの低い屋内収納空間の開口部では、簡単に開閉でき、構造や施工が簡易なシャッタが求められてきた。
【００１１】
本発明の目的は、構造が簡易で、施工の簡略化を図りつつ、屋内収納空間の開口寸法を大きくでき、かつ、屋内収納空間の内外スペースの有効活用を実現できる屋内収納空間用シャッタを提供することである。
【００１２】
【課題を解決するための手段】
本発明の屋内収納空間用シャッタは、居室より高さの低い屋内収納空間３に設けられるシャッタ１であって、前記屋内収納空間の開口部３１左右の縦枠部３１１近傍と天井３２とを繋ぎ、前記縦枠部近傍に沿って略上下に延びるとともに、前記天井に沿って略水平に延びるガイドレール１１と、前記ガイドレールに係合されるシャッタ本体１２とを備え、前記シャッタ本体は、前記開口部を覆って閉じる閉位置３１２と、前記開口部を開く開位置３１３との間を、前記ガイドレールに案内されて上下に移動自在に設けられていることを特徴とする。
【００１３】
この発明によれば、屋内収納空間の開口部を塞ぐシャッタを開く際に、シャッタ本体は、開口部の縦枠部から天井に沿って延びたガイドレールに収容されることとなるので、開口部の両側の側壁３３を造作する必要がない。従って、施工を容易にすることができる。さらに、開口部の両側の側壁において、屋内収納空間内外の面を利用することができるので、側壁近傍に棚等を設けるなど、収納効率の向上を図ることができる。また、シャッタ本体が、屋内収納空間内外に突出することがないので、開口部近傍にデッドスペースを生じることがなく、建物空間を有効に活用できる。
【００１４】
また、開口部を塞ぐシャッタ本体が天井に沿って移動自在に設けられていることにより、シャッタを全開にして、大きな開口寸法を得ることができるので、物品の出し入れを容易にすることができる。
【００１５】
本発明では、前記ガイドレールは、少なくとも縦レール１１Ａおよび天井レール１１Ｂにより構成されるのが好ましい。
これによれば、ガイドレールの部品点数を削減できるほか、開口部の縦寸法および屋内収納空間の天井高に応じた縦レールおよび天井レールをあらかじめ工場等で製造しておき、施工現場で縦レールおよび天井レールを組み合わせてガイドレールを形成できるので、本発明のシャッタを設置する際の施工を容易にすることができる。
【００１６】
本発明では、前記天井レールは、取付具１０５により前記天井下面に直接取り付けられていることが好ましい。
これによれば、天井レールは露出して天井下面に取り付けられるものであり、かつ、天井レールの取付は取付具によるので、その取付に関して他の部品を必要としない。従って、部品点数を削減することができ、また、構造を簡素化することができる。また、天井レールは天井下面に直接取り付けられるので、取付作業を簡易に行うことができ、天井レールのメンテナンスも容易にすることができる。
【００１７】
本発明では、前記シャッタ本体は、前記開口部よりも幅広であり、前記縦レールは、前記開口部の前記縦枠部近傍の壁にそれぞれ取り付けられていることが好ましい。
これによれば、開口部の縦枠部近傍の壁に縦レールを取り付けるので、屋内収納空間の開口部の大きさにとらわれずにシャッタを取り付けることができる。また、縦レールの取付は壁に対して行うので、取付具以外の特別な部材を必要とせず、省部材で対応できる。
【００１８】
本発明では、前記ガイドレールは、互いに対向配置された板状部の一方に、他方に比べて延出した延出部が一体に形成された断面略コ字状とされ、かつ、前記延出部は取付部１０１Ｂとされるとともに、前記板状部から前記取付部を切り離す切欠１０１Ａが形成されていることが好ましい。
これによれば、縦レールを開口部の縦枠部と一体に取り付ける際に、切欠で取付部を切り離すことができるので、縦レールの加工を容易にすることができる。
【００１９】
本発明では、前記シャッタ本体は、略水平方向に延びる複数のスラット１２Ａを互いに回動自在とするとともに、縦方向に連結して構成され、前記スラットは、木質粉末を含んだ合成樹脂材料から形成されていることが好ましい。
これによれば、シャッタ本体は複数のスラットを連結して構成されるので、開口部の幅寸法に合わせてスラット幅を決め、開口部の高さ寸法に合わせて、互いに連結するスラットの数を決定すれば、開口部の大きさに合ったシャッタを容易に組み立てることができる。
また、スラットが破損した場合であっても、該当部分のスラットを交換するだけで足りるので、シャッタ本体の修理を容易に行うことができる。
【００２０】
スラットは、木質粉末を含んだ合成樹脂材料から形成されているので、十分な強度を確保することができ、防音性を向上できる。また、射出成形等による製造が可能であり、同じ構造のスラットを多量に、かつ、簡易に製造することが可能である。さらに、木質基調などのように、建物内部の環境に合わせた材料で形成されたスラットでシャッタ本体を構成することにより、質感が良好となり、建物の基調に合わせたシャッタを構成することができる。
【００２１】
本発明では、前記シャッタ本体が閉じる際の下降速度を減じる減速手段１３を備えていることが好ましい。
これによれば、シャッタ本体の閉動作時に、シャッタの下降を減速することができるので、シャッタ本体と開口部底部との衝突によるシャッタ本体の破損や、その衝撃音を防止することができる。
【００２２】
本発明では、前記シャッタの開動作を補助する補助手段を備えることもできる。つまり、補助手段を必要に応じて設けるものでもよい。
シャッタ本体に補助手段としての開動作補助機構１４を設けることにより、開動作が容易となり、開口部に設けられたシャッタを容易に開口することができるほか、開動作時に余計な力が加わってシャッタを破損したり、それによりシャッタが開かなくなることを防ぐことができる。
【００２３】
【発明の実施の形態】
以下、本発明の一実施形態を図面に基づいて説明する。
【００２４】
（１．外部構成）
図１は本実施形態に係る屋内収納空間用シャッタ１が設けられた建物２の断面図、図２はシャッタ１の配置を示す概要斜視図、図３はシャッタ１を屋内収納空間３の外側から示す外観図、図４は屋内収納空間内側からのシャッタ１を示す概要斜視図である。
図１に示すように、建物２には、一階部４と二階部５との間の中二階部６に、高さの低い屋内収納空間３が設けられている。詳述すると、この屋内収納空間３は、人が屈んで入れる程度の高さ、具体的には、１．０〜１．６ｍほどの高さを有する空間であり、図１の点線で示すように、一階部４と二階部５との間に設けることができ、居室と同程度の床面積を有することができる。そして、この場合の開口部３１は、階段の踊り場に形成される。なお、このような屋内収納空間３は、例えば、特開平７−５４４０２号公報に紹介されている。
このような高さ寸法を有する屋内収納空間３としては、図１の二点鎖線で示すように、一階部４と中二階部６とを連絡する階段７の下部空間などに設けることもできる。この場合の開口部３１は、図２のように、階段７に沿った壁面に形成される。
そして、これら屋内収納空間３の断面略矩形状の開口部３１には、その開口部３１を開閉するためのシャッタ１が設けられている。
【００２５】
図３には、建物２内に設けられた開口部３１を閉じた状態が示されている。また、図４には、開口部３１を開いた状態が示されている。これら図３および図４において、シャッタ１は屋内収納空間３の内側に設けられている。シャッタ１は、ガイドレール１１に沿ってシャッタ本体１２が、開口部３１を覆って閉じる閉位置３１２と開口部３１を開く開位置３１３との間で移動自在に設けられる構造である。なお、図４には、開口部３１が形成された側壁３３において、開口部３１近傍に設けられた棚３３１が示されている。
【００２６】
シャッタ１は、図３および図４に示すように、ガイドレール１１、シャッタ本体１２および減速手段１３を備えている。また図９に示すように、屋内収納空間３が比較的大きな場合などに有効である開動作補助機構１４を設けることもできる。なお、図９は、本実施形態におけるシャッタの配置を示す模式図である。
【００２７】
（２．ガイドレール１１について）
ガイドレール１１は、シャッタ本体１２と係合し、シャッタ本体１２の移動方向を案内するものであり、屋内収納空間３の開口部３１を挟む左右の縦枠部３１１近傍の側壁３３に、それぞれに一本ずつ設けられている。そしてガイドレール１１は、この縦枠部３１１近傍の側壁３３に沿って上下に延び、かつ、縦枠部３１１の上方で略水平方向に折れ曲がり、屋内収納空間３の天井３２に沿って、屋内収納空間３の開口部３１が設けられた面と対向する面に向かって延びている。なお、ガイドレール１１の縦枠部３１１近傍の側壁３３への取付に関しては、縦枠部３１１にガイドレール１１を直接取り付けることも含むものである。
【００２８】
ガイドレール１１は、開口部３１の縦枠部３１１近傍の側壁３３に取り付けられる縦レール１１Ａと屋内収納空間３の天井３２下面に取り付けられる天井レール１１Ｂとを備えている。開口部３１の左右に取り付けるガイドレール１１は、それぞれが開口部３１を中心として対称構造を有している。
【００２９】
図５は、レール部材１０の構造を示す断面図、図６は、ガイドレール１１を構成する縦レール１１Ａおよび天井レール１１Ｂの配置を示す概要斜視図である。なお、図６において縦レール１１Ａは、縦枠部３１１と一体に取り付けられている。
図５に示すように、ガイドレール１１の縦レール１１Ａおよび天井レール１１Ｂは、このレール部材１０から形成される。
【００３０】
レール部材１０は、前面部１０１、側面部１０２および背面部１０３を有する断面略コ字状の部材であり、押出成形等により成形されるポリ塩化ビニルなどの合成樹脂製である。天井レール１１Ｂは、前面部１０１が外側となるようにレール部材１０を折り曲げ加工することで形成される。
【００３１】
ガイドレール１１においては、板状部である前面部１０１および背面部１０３、そして側面部１０２の３面に囲まれたシャッタ係合部１０４にシャッタ本体１２の端部が係合し、これにより、シャッタ本体１２の移動が案内される。
【００３２】
前面部１０１は、背面部１０３に比べて延出して形成されており、前面部１０１の外面側略中央には、切欠１０１Ａが形成されいる。縦レール１１Ａを縦枠部３１１に一体に取り付ける場合において、縦レール１１Ａを形成する際には、前面部１０１を切欠１０１Ａで折り曲げて、切欠１０１Ａから延出した延出部である取付部１０１Ｂを切り取って形成する。切り取られた取付部１０１Ｂは、天井レール１１Ｂの屋内収納空間３の天井３２下面への取付の際に、屋内収納空間３の開口部３１が形成された壁面と、天井レール１１Ｂとの隙間を埋めるパッキン材として流用することができる。また、この取付部１０１Ｂには、釘やビスなどの取付具１０５が挿通する取付孔１０１Ｃが穿設されており、レール部材１０を天井レール１１Ｂに用いる場合は、この取付孔１０１Ｃで屋内収納空間３の天井３２下面に取付具１０５により固定される。
【００３３】
側面部１０２の略中央には、釘やビスなどの取付具１０６が挿通する縦枠部取付孔１０２Ａが穿設されている。開口部３１の縦枠部３１１に縦レール１１Ａを一体に取り付ける場合には、縦枠部取付孔１０２Ａで縦レール１１Ａは縦枠部３１１に取付具１０６により固定される。
【００３４】
背面部１０３の内側略中央には、レール部材１０の内側に広がった形状のアリ溝１０３Ａが形成されている。このアリ溝１０３Ａは、シャッタ本体１２が閉じる際の下降速度を減じるための減速手段１３が取り付けられる部分である。本実施形態では、減速手段１３としてシャッタ本体１２の端部に当接するモヘアを使用し、シャッタ本体１２の下降に対するモヘアの抵抗により、その下降速度を減じているが、これ以外にスポンジやローラー等の摩擦も採用することができる。また、縦レール１１Ａの下部にバネ状の戸当りなどを採用して、下降速度を調速することもできる。
【００３５】
（３．シャッタ本体１２について）
図７は、シャッタ本体１２の要部の構造を示す概要斜視図であり、図８は、シャッタ本体１２およびガイドレール１１の構造を示す断面図である。
シャッタ本体１２は、図７および図８に示すように、それぞれ略水平方向に沿って配置されるスラット１２Ａを縦方向に複数連結して構成される。スラット１２Ａは、木質粉末を含んだ合成樹脂材料から形成されたものである。ここで、木質粉末を含んだ合成樹脂材料には、木材の端部や鋸屑などを素材にして微粉状の粒子にし、表面に酸化チタンを担持させ、樹脂の微粉粒との混合ペレットを加熱溶解させ、押出成形または射出成形で成形部材としたものを挙げることができる。この部材を採用すれば、手触り感等の風合いが天然の木に近く、かつ、耐久性および耐水性のあるスラット１２Ａおよびシャッタ本体１２を構成することができる。なお、このような木質粉末を含んだ合成樹脂材料は、例えば、特開平０７−２３２３８７号公報に紹介されている。
【００３６】
スラット１２Ａは、前面部１２１、背面部１２２、中空部１２３、係合凹部１２４、および、他のスラット１２Ａの係合凹部１２４と係合する係合凸部１２５から構成されている。
屋内収納空間３の外側に面する平らな前面部１２１には、係合凸部１２５側の端部に傾斜部１２１Ａが形成されている。これは、図８で示すように、シャッタ本体１２が天井レール１１Ｂの折り曲げ部分を移動する際に、天井レール１１Ｂにシャッタ本体１２が衝突しないようにして、シャッタ本体１２の移動を円滑にするための部分である。
【００３７】
背面部１２２には、略中央から係合凹部１２４の背面側抑え部１２４Ｂに向かって傾斜した傾斜部１２２Ａが形成されている。この傾斜部１２２Ａは、シャッタ本体の開動作時に、減速手段１３の抵抗を減らすとともに、係合凹部１２４の強度保持のための傾斜である。
【００３８】
中空部１２３は、中空１２３Ａ、１２３Ｂおよび隔壁１２３Ｃから構成される。これら中空１２３Ａ、１２３Ｂは隣合っており、スラット１２Ａの前面部１２１、背面部１２２、係合凹部１２４および係合凸部１２５により囲まれた比較的薄い中空空間である。この中空部１２３は、防音、強度、軽量化のために形成されたものである。ここで、中空１２３Ａ、１２３Ｂに挟まれた隔壁１２３Ｃは、シャッタ本体１２正面からの衝撃、すなわち、前面部１２１に直交する方向からの衝撃に対して抗する部分となり、スラット１２Ａおよびシャッタ本体１２の強度を更に向上させる作用がある。
【００３９】
係合凹部１２４および係合凸部１２５は、ともにスラット１２Ａ同士を互いに回動自在に連結する部分である。
スラット１２Ａ同士は、図８に示すように、一方のスラット１２Ａの側面端部の係合凹部１２４に、他方のスラット１２Ａのある程度大きな断面略円形状の係合凸部１２５をスライドさせて嵌め込むことで、互いに回動自在に連結される。この際、嵌め込んだ係合凸部１２５は、嵌め込まれた方の係合凹部１２４に形成された前面側抑え部１２４Ａおよび背面側抑え部１２４Ｂによって抑えられる。また、係合凹部１２４に形成された係止部１２４Ｃにより、嵌め込んだスラット１２Ａが外れないようにし、かつ、シャッタ本体１２の係合凸部１２５を軸とした回動角を抑制し、シャッタ本体１２が反対側に回動するのを防いでいる。このようにして複数のスラット１２Ａを係合・連結することで、シャッタ本体１２が構成される。
【００４０】
図８に示すように、シャッタ本体１２の下端のスラット１２Ａには、屋内収納空間３の外側に対応する面、すなわち前面部１２１に外側把手１２Ｂが設けられている。この外側把手１２Ｂが設けられたスラット１２Ａの屋内収納空間３の内側に対応する面、すなわち背面部１２２には、内側把手１２Ｃが設けられている。外側把手１２Ｂおよび内側把手１２Ｃは、屋内収納空間３の内外からシャッタ本体１２の開閉を容易にするためのものである。
【００４１】
また、シャッタ本体１２の下端のスラット１２Ａにおいては、係止部１２４Ｃが取り除かれ、モヘアなどの当接部材１２Ｄが係合凹部１２４に取り付けられている。この当接部材１２Ｄはシャッタ本体１２が閉じた際に、屋内収納空間３の床に当接し、シャッタ本体１２と開口部３１底部との間に隙間を生じないようにするとともに、シャッタ本体１２と開口部３１底部との衝撃を和らげるためのものである。これにより、シャッタ本体１２が閉じられた場合に、さらなる衝撃音の防止が図れるほか、屋内収納空間３の密閉性が向上する。
【００４２】
（４．開動作補助機構１４について）
開動作補助機構１４は、屋内収納空間３が比較的大きい場合や、開口部３１が大きく、これに伴い、大きいシャッタ本体１２を設ける場合などに取り付けると有効である。
以下に、本実施形態における開動作補助機構１４について説明する。
図９に示すように、開動作補助機構１４は、開口部３１の開動作、すなわち、シャッタ本体１２の上方向への移動を補助する機構である。本実施形態では、開動作補助機構１４は、定滑車１４１、連結部材１４２および重り１４３から構成されている。
【００４３】
屋内収納空間３の天井３２には、シャッタ本体１２の収納方向で、かつ、開口部３１と対向する面の近傍に、定滑車１４１が設けられている。この定滑車１４１は、溝車１４１Ａを備えており、取付部材１４１Ｂによって天井３２に取り付けられている。
溝車１４１Ａの外周面には、その略中央に溝（図示省略）が形成されており、その溝に連結部材１４２が係合する。連結部材１４２は金属製ワイヤなどの紐状部材であって、一端はシャッタ本体１２の上端のスラット１２Ａに連結し、溝車１４１Ａから略垂下する他端には重り１４３が取り付けられている。溝車１４１Ａは、連結部材１４２の動きに合わせて回転するので、連結部材１４２の動きを円滑にし、連結部材１４２一端に繋がれた重り１４３が上下に移動する。
このような開動作補助機構１４により、シャッタ本体１２を開く際に、重り１４３の重さにより連結部材１４２およびこの連結部材１４２に繋がれたシャッタ本体１２が引かれるので、シャッタ本体１２の上方向への移動が容易になる。
【００４４】
（５．シャッタ１の開口部への取付方法）
シャッタ１の開口部３１への取付方法は、天井レール１１Ｂの取付工程、シャッタ本体１２の設置工程、および、縦レール１１Ａの取付工程により行われる。以下、これらの取付工程を説明する。なお、開動作補助機構１４をシャッタ１に取り付ける場合の取付工程についても説明する。
【００４５】
（５−１．天井レール１１Ｂの取付工程）
天井レール１１Ｂは、図９に示すように、一端部が開口部３１の左右の縦枠部３１１近傍の側壁３３に沿って上方に延長した線上に位置するとともに、中間部から他端部にかけて、それぞれが屋内収納空間３の天井３２下面に沿って固定される。これにより、天井レール１１Ｂは、取付具１０５により天井３２下面に直接固定され、取付後の天井レール１１Ｂは、天井３２下面に露出状態となる。ここで、開口部３１の縦枠部３１１に一体に縦レール１１Ａを取り付ける場合において、縦枠部３１１が屋内収納空間３の内側に向かって突出している場合は、天井レール１１Ｂの下端が開口部３１が形成された屋内収納空間３の内側の面から浮いた状態となるので、このような場合は、縦枠部３１１に一体に取り付ける縦レール１１Ａの形成の際に切り取った取付部１０１Ｂを、パッキン材として流用することができる。なお、天井レール１１Ｂの取り付けの際、テープのようなもので仮固定しておけば、この後の施工においてレール位置を修正する必要が生じても容易に修正できる。
【００４６】
（５−２．シャッタ本体１２の取付工程）
シャッタ本体１２は、開口部３１の幅寸法より幅広として形成し、シャッタ本体１２に設けられた外側把手１２Ｂが天井方向を向くように、かつ、把手が設けられていない方の端部から順に、左右の天井レール１１Ｂのシャッタ係合部１０４に挿入される。これにより、シャッタ本体１２は、天井３２下面に設けられた天井レール１１Ｂに収納される。
【００４７】
（５−３．縦レールの取付工程）
図１０には、縦レール１１Ａの配置を示す断面図が示されている。
図１０に示すように、シャッタ本体１２の左右を縦レール１１Ａのシャッタ係合部１０４で挟むように係合させる。そして、図６のように、天井レール１１Ｂの下端と縦レール１１Ａの上端とを係合させる。この際、減速手段１３が予めアリ溝１０３Ａに取り付けられた縦レール１１Ａを、図１０に示すように、開口部３１の縦枠部３１１近傍の側壁３３に取り付ける。なお、縦レール１１Ａの縦枠部３１１近傍の側壁３３への取付は、図６に示すように、縦レール１１Ａを縦枠部３１１と一体に取り付けることも含むものである。縦レール１１Ａは、図９の二点鎖線で示すように、背面部１０３が屋内収納空間３の内側に面するように取り付ける。これにより、屋内収納空間３の開口部３１は、開口部３１の幅寸法より幅の広いシャッタ本体１２によって覆われて閉じた状態となる。この際、シャッタ本体１２に設けられた外側把手１２Ｂおよび内側把手１２Ｃは、それぞれ屋内収納空間３の外側および内側を向いていることになる。なお、縦レール１１Ａの取付の際に、天井レール１１Ｂの場合と同様に、テープのようなもので仮固定しておけば、この後の施工においてレール位置を修正する必要が生じても容易に修正できる。
【００４８】
（５−４．開動作補助機構１４の取付工程）
以下に、開動作補助機構１４の取付工程について説明する。
予め、定滑車１４１が天井３２下面に固定しておく。固定された定滑車１４１の溝車１４１Ａに形成された溝に沿って、シャッタ本体１２の上端に取り付けられた連結部材１４２を係合させ、連結部材１４２の端部うち、シャッタ本体１２との係合とは反対側の端部に、重り１４３を取り付ける。連結部材１４２の長さ寸法および重り１４３の重さは、シャッタ本体１２が適度に移動できる範囲で適宜決める。
【００４９】
前記の施工により、本実施形態のシャッタ１は、屋内収納空間３の開口部３１に取り付けられる。なお、天井レール１１Ｂおよび縦レール１１Ａの取り付けの際に、テープ等によって仮固定した場合には、シャッタ本体１２の移動確認後、天井レール１１Ｂにおいては取付孔１０１Ｃで取付具１０５により、天井レール１１Ｂの場合は天井３２下面に、縦レール１１Ａの場合は縦枠部３１１近傍の側壁３３に固定する。そして、縦レール１１Ａを縦枠部３１１と一体に取り付ける場合においては縦枠部取付孔１０２Ａで縦枠部３１１に取付具１０６により固定すれば、天井レール１１Ｂおよび縦レール１１Ａを堅固に固定できる。
【００５０】
（６．実施形態の効果）
前述のような本実施形態によれば、次のような効果がある。
【００５１】
（６−１）  開口部３１を塞ぐシャッタ本体１２は、開口部３１の縦枠部３１１近傍の側壁３３と天井３２下面とを繋ぎ、縦枠部３１１近傍の側壁３３と天井３２下面に沿って延びたガイドレール１１に収容されるので、開口部３１が形成された面の両脇に位置する側壁３３を引戸の場合のように造作する必要がない。従って、施工を容易にすることができる。
【００５２】
（６−２）  シャッタ本体１２が、天井３２下面に沿って延びたガイドレール１１に収納されるので、開口部３１の両脇の側壁３３の内外の面を利用することができる。従って、図４に示すように、側壁３３に棚３３１を設けることができるなど、収納効率の向上を図ることができる。また、シャッタ本体１２が、開き戸のように屋内収納空間３内外に突出することがないので、開口部３１近傍にデッドスペースを生じることがなく、建物２内の空間を有効に活用できる。
【００５３】
（６−３）  開口部３１を塞ぐシャッタ本体１２が、縦枠部３１１近傍の側壁３３と天井３２下面とを繋ぎ、縦枠部３１１近傍の側壁３３および天井３２下面に沿って延出したガイドレール１１に沿って、移動自在に設けられているので、シャッタを全開にすることができる。従って、開口部３１において大きな開口寸法が得られるので、物品の出し入れを容易にすることができる。
【００５４】
（６−４）  屋内収納空間３の開口部３１に、本発明のシャッタ１を設けることにより、開口部３１を形成する枠や床とのクリアランスを抑えることが可能となるので、引戸などを用いる場合に比べて、気密性や防音性を高めることができる。
【００５５】
（６−５）  ガイドレール１１は、少なくとも縦レール１１Ａおよび天井レール１１Ｂにより構成されるので、シャッタ１の構造の簡素化、および、ガイドレール１１の部品点数を削減できる。また、開口部３１の縦寸法および屋内収納空間３の天井高に応じた縦レール１１Ａおよび天井レール１１Ｂをあらかじめ工場等で製造しておき、施工現場で縦レール１１Ａおよび天井レール１１Ｂを組み合わせてガイドレール１１を形成できるので、シャッタ１を設置する際の施工を容易にすることができる。
【００５６】
（６−６）  天井レール１１Ｂは、取付具１０５により天井３２下面に直接固定される。すなわち、天井レール１１Ｂは、天井３２下面に露出した状態で固定されるので、天井レール１１Ｂの取付作業やメンテナンスを容易にすることができる。
【００５７】
（６−７）  縦レール１１Ａは、開口部３１の縦枠部３１１近傍の側壁３３にそれぞれ取り付けられるので、開口部３１の幅寸法にとらわれずにシャッタ１を設けることができる。また、縦レール１１Ａの取付に際しても、縦レール１１Ａを取付具１０５または取付具１０６により固定するだけであるので、省部材で対応することができる。
【００５８】
（６−８）  レール部材１０には、取付部１０１Ｂをレール部材１０から切り離すための切欠１０１Ａが設けられている。これにより、縦レール１１Ａを開口部３１の縦枠部３１１に一体に取り付ける場合に、縦レール１１Ａを形成する際の取付部１０１Ｂの切り離しを簡単に行うことができる。
【００５９】
（６−９）  シャッタ本体１２は、水平方向に延びる複数のスラット１２Ａを互いに回動自在に、縦方向に連結して構成されるので、開口部３１の幅寸法に合わせてスラット１２Ａの幅寸法を決め、複数のスラット１２Ａを開口部３１の縦枠部３１１の高さ寸法に合わせて、互いに回動自在に連結すれば、容易にシャッタ本体１２を組み立てることができる。また、スラット１２Ａが破損した場合であっても、該当部分のスラット１２Ａを交換するだけで足りるので、シャッタ本体１２の修理を容易に行うことができる。
すなわち、本実施形態のスラットは、以下に示す従来の課題を解決する。
従来のスラットには、特開２００１−２３４６７７に示されるような、中空空間のない板状のスラットがある。また、特開２００１−２８８９６６に示されるような、内部に中空空間を設けた金属製のスラットがある。これらのスラットは、屋外で用いられるシャッタを構成するスラットであり、金属製で重いため、操作がしづらいという課題がある。さらに、板状のスラットは強度が低く、また、中空を設けたスラットは、シャッタ正面からの衝撃により変形しやすいという課題がある。
本実施形態のスラット１２Ａでは、合成樹脂製とし、内部に中空部１２３を設けることで軽量化を実現している。また、中空部１２３は、隣接した中空１２３Ａ、１２３Ｂに挟まれた隔壁１２３Ｃが、前面部１２１に直交する方向からの衝撃に対して抗する役割を担うので、スラット１２Ａは変形しにくい形状となっている。さらに、背面部１２２に傾斜部１２２Ａを形成したことにより、係合凹部１２４の強度を維持しつつ、縦レール１１Ａに設けられた減速手段１３に対して、シャッタ本体１２の閉動作時には抵抗を受け、開動作時には逆に抵抗を減じることができるようにされている。
【００６０】
（６−１０）  スラット１２Ａは、木質粉末を含んだ合成樹脂材料から形成されているので、十分な強度を確保することができ、気密性や防音性を一層向上することができる。また、押出成形等により同じ構造のスラット１２Ａを多量に、しかも簡易に製造できる。さらに、木質基調などのように、建物２の内部の環境に合わせた材料で形成されたスラット１２Ａでシャッタ本体１２を構成することにより、質感が良好となり、建物２の基調に合わせたシャッタ１を構成することができる。
【００６１】
（６−１１）  シャッタ１は、シャッタ本体１２が閉じる際の下降速度を減じる減速手段１３を備えているので、シャッタ本体１２の閉動作時に、シャッタ本体１２と開口部３１底部との衝突によるシャッタ本体１２の破損や、その衝撃音を防止することができる。
【００６２】
（６−１２）  シャッタ１は、シャッタ本体１２の開動作を補助する開動作補助機構１４を備えることもできるので、屋内収納空間３が比較的大きい場合など、必要に応じてシャッタ１に開動作補助機構１４を設けることで、シャッタ本体１２の開動作、すなわち、シャッタ本体１２の移動を容易にでき、よって、開口部３１を容易に開口することができる。また、シャッタ本体１２の開動作時に余計な力を加える必要が無くなり、シャッタ１が破損したり、それによりシャッタ本体１２が移動できなくなることを防ぐことができる。
【００６３】
（７．実施形態の変形）
本発明は前述の実施の形態に限定されるものではなく、本発明の目的を達成できる範囲での変形、改良等は本発明に含まれるものである。
【００６４】
（７−１）  前記実施形態では、屋内収納空間３は、中二階部６および階段７の下部空間に設けることができるとしたが、本発明はこれに限らない。本発明が実施できる、居室より高さの低い屋内収納空間３であれば、その屋内収納空間３の場所は問わず、またその屋内収納空間３が設けられた建物２の構造も問わないものである。例えば、図１１のシャッタ１の配置を示す概要斜視図に示すように、階段８の下にトイレ９が設けられている場合であっても、階段７内に屋内収納空間３を設け、その屋内収納空間３の開口部３１に本発明を実施しても構わない。
【００６５】
（７−２）  前記実施形態では、ガイドレール１１は、縦レール１１Ａおよび天井レール１１Ｂから構成されるとしたが、本発明はこれに限らない。すなわち、ガイドレール１１は、縦枠部３１１近傍の側壁３３に設けるレールと、天井３２下面に沿って設けるレールと、これらを繋ぐ湾曲したレールの３つのレールから構成されるものであっても構わない。また、３つ以上の部材に分かれたレールから構成されるものであってもよい。
【００６６】
（７−３）  前記実施形態では、レール部材１０は押出成形等により成形されるポリ塩化ビニルなどの合成樹脂製としたが、本発明はこれに限らない。すなわち、レール部材１０から形成されたガイドレール１１が、その設置、および、シャッタ本体１２の移動に耐えられる剛性を有していれば、製造方法および材料の種類は問わない。
【００６７】
（７−４）  前記実施形態では、取付具１０５、１０６は釘やビスとしたが、本発明はこれらに限らない。すなわち、シャッタ本体１２が移動でき、ガイドレール１１を堅固に固定できるものであれば、取付に使用する部材の種類・形状・性質は問わないものである。
【００６８】
（７−５）  前記実施形態では、シャッタ本体１２形成の際に、一方のスラット１２Ａの係合凹部１２４に他方のスラット１２Ａの係合凸部１２５を嵌め込むとしたが、本発明はこれに限らない。すなわち、スラット１２Ａに他の係合部材が設けられていて、それにより、スラット１２Ａ同士が回動自在に係合するようなものであっても構わない。
【００６９】
（７−６）  前記実施形態では、切欠１０１Ａは前面部１０１の外側略中央に形成されるとしたが、本発明はこれに限らない。すなわち、取付部１０１Ｂを切り離す部位にあれば、内側であっても略中央でなくても構わない。
【００７０】
（７−７）  前記実施形態では、シャッタ１の開動作を補助する補助手段としての開動作補助機構１４は、定滑車１４１、連結部材１４２および重り１４３から構成されるとしたが、本発明はこれに限らない。すなわち、シャッタ本体１２に連結したバネを天井３２に取り付けるなど、シャッタ１の開動作を補助する機構であれば、その形式・材料・構成は問わない。
【００７１】
（７−８）  前記実施形態では、開動作補助機構１４の連結部材１４２は、金属製ワイヤなどの紐状部材としたが、本発明は、これに限らない。すなわち、重り１４３およびシャッタ本体１２の移動に耐えられる程度の剛性を備えたものであれば、金属製でなくてもよい。ゴムなどの弾性体を用いても構わないし、また、紐状部材でなくても構わない。なお、金属製ワイヤとすれば、長期間の利用にも耐えられ、連結部材１４２の切断により開動作補助機構１４の機能が損なわれることを防ぐことができる。
【００７２】
（７−９）  前記実施形態では、シャッタ１を屋内収納空間３の開口部３１に設ける際に、天井レール１１Ｂから取り付けたが、この方法に限らず、シャッタ１の取付に関しては適宜決められてよい。
【００７３】
（７−１０）  前記実施形態では、天井レール１１Ｂは屋内収納空間３の天井３２下面に沿って取り付けるとしたが、屋内収納空間３の奥行が狭い場合などで、開口部３１が形成された面とは反対側の面に向かう途中で、天井レール１１Ｂが略垂下しても構わない。すなわち、天井レール１１Ｂの長さ寸法がシャッタ本体１２を収納するのに十分であり、屋内収納空間３の天井３２下面に沿ってシャッタ本体１２が収納されるのであれば、天井レール１１Ｂの長さ寸法やシャッタ本体１２の収納方向は問わない。
【００７４】
（７−１１）  前記実施形態では、当接部材１２Ｄはモヘアとしたが、本発明はこれに限らない。すなわち、スポンジやゴムなどの弾性体等を当接部材１２Ｄとして採用しても構わない。
【００７５】
（７−１２）  前記実施形態では、屋内収納空間３の開口部３１は正面略矩形状としていたが、本発明では、これに限らない。すなわち、開口部３１の形状が正面略多角形状や正面略円形状であってもよい。この場合も、本実施形態における縦レール１１Ａの取付の場合と同様に、縦枠部３１１近傍の側壁３３に縦レール１１Ａを取り付ければよい。
【００７６】
（７−１３）  前記実施形態では、シャッタ本体１２を構成するスラット１２Ａは、木質粉末を含んだ合成樹脂材料から形成されているとしたが、本発明のスラット１２Ａは、木質粉末を含まない合成樹脂、金属、あるいは木のいずれかから形成されるものであっても構わない。なお、木質粉末を含んだ合成樹脂材料から形成されたスラット１２Ａであれば、木質基調などの建物２の内部基調に合わせたシャッタ１を、十分な強度を保持しつつ構成することができる。
【００７７】
【発明の効果】
前述のように、本発明によれば、以下の効果を奏することができる。
【００７８】
請求項１記載の発明によれば、シャッタの設置に際して開口部の両側の側壁を引戸のように造作しないので、施工が容易である。また、シャッタ本体は天井下面に沿って収納されるので、開口部を大きくすることができるほか、屋内収納空間内外の面を利用して棚等を設けるなど、収納効率の向上および建物空間の有効活用を図ることができる。
【００７９】
請求項２記載の発明によれば、ガイドレールに関する部品点数の削減を図ることができ、また、縦レールおよび天井レールを組み合わせてガイドレールを形成できるので、シャッタ設置場所に合わせたガイドレールを容易に形成でき、施工も容易である。
【００８０】
請求項３記載の発明によれば、天井レールを天井下面に直接取り付けるので、天井レールの取付作業およびメンテナンスを容易にすることができる。
【００８１】
請求項４記載の発明によれば、シャッタ本体は開口部より幅広とされ、開口部の縦枠部近傍の壁に縦レールを取り付けるので、開口部の大きさにとらわれずにシャッタを設けることができる。また、縦レールの取付には取付具を用いれば良いので、省部材で取付を行うことができる。
【００８２】
請求項５記載の発明によれば、レール部材から取付部を切り離すための切欠が設けられているので、縦レールを縦枠部と一体に取り付けようとしたときに、切欠で簡単に取付部を切り離すことができ、縦レールの加工を容易にすることができる。
【００８３】
請求項６記載の発明によれば、開口部の寸法より幅広に形成した複数のスラットを連結すればよいので、シャッタ本体を簡単に組み立てることができる。シャッタ本体が破損した場合も、破損箇所のスラットを交換すればよいので、修理も容易である。また、スラットを建物内部の基調に合わせた材料で形成すれば、質感も良好である。
【００８４】
請求項７記載の発明によれば、シャッタ本体の下降速度が減速されるので、シャッタ本体の破損を防止し、シャッタ本体と開口部底部との衝撃音を減じることができる。
【００８５】
請求項８記載の発明によれば、屋内収納空間が比較的大きい場合など、必要に応じてシャッタの開動作を補助する補助手段を設けることにより、シャッタ本体の開動作が容易となるほか、開動作時のシャッタ本体の負担を軽減して破損を防止することができる。
【図面の簡単な説明】
【図１】本発明の一実施形態に係る屋内収納空間用シャッタの配置を示す建物の断面図。
【図２】前記実施形態における屋内収納空間用シャッタの配置を示す概要斜視図。
【図３】前記実施形態における屋内収納空間用シャッタの収納空間外側からの外観を示す概要斜視図。
【図４】前記実施形態における屋内収納空間用シャッタの収納空間内側からの外観を示す概要斜視図。
【図５】前記実施形態におけるレール部材の構造を示す断面図。
【図６】前記実施形態における縦レールおよび天井レールの配置を示す概要斜視図。
【図７】前記実施形態におけるスラットの構造を示す概要斜視図。
【図８】前記実施形態におけるシャッタ本体およびガイドレールの構造を示す断面図。
【図９】前記実施形態における屋内収納空間用シャッタの配置を示す模式図。
【図１０】前記実施形態における縦レールの配置を示す断面図。
【図１１】前記実施形態における屋内収納空間用シャッタの配置を示す概要斜視図。
【符号の説明】
１…シャッタ、                ２…建物、
３…屋内収納空間、          １０…レール部材、
１１…ガイドレール、          １２…シャッタ本体、
１３…減速手段、              １４…開動作補助機構、
３１…開口部、                ３２…天井、
３３…側壁、                １１Ａ…縦レール、
１１Ｂ…天井レール、          １２Ａ…スラット、
１０１…前面部（板状部）、    １０３…背面部（板状部）、
３１１…縦枠部、              ３１２…閉位置、
３１３…開位置、            １０１Ａ…切欠、
１０１Ｂ…取付部（延出部）。
【図１】
2004176411.tif 000003
【図２】
2004176411.tif 000004
【図３】
2004176411.tif 000005
【図４】
2004176411.tif 000006
【図５】
2004176411.tif 000007
【図６】
2004176411.tif 000008
【図７】
2004176411.tif 000009
【図８】
2004176411.tif 000010
【図９】
2004176411.tif 000011
【図１０】
2004176411.tif 000012
【図１１】
2004176411.tif 000013